(57)【要約】【課題】確実に番組情報を取得することができるデジタル放送受信装置を実現する。【解決手段】テレビジョン受像機１００において、おはようタイマーなど起動日時に関する設定がなされた場合に、起動日時における起動時刻よりも所定時間分早く、番組情報データが含まれる放送信号の受信を開始することによって、そのテレビジョン受像機１００が起動するまでに全ての番組情報を確実に取得することができるので、テレビジョン受像機１００が起動した際には、全局８日分の番組情報データがＥＰＧメモリ１３４ｂに記憶されていることとなって、起動直後から好適な番組視聴や速やかな録画予約などを行うことが可能になる。【選択図】図２
2010177846.tif 000002
【特許請求の範囲】
【請求項１】
放送番組データ及び放送番組に関する番組情報データを受信する受信手段と、
前記受信手段が受信した前記放送番組データに基づく番組コンテンツを出力するコンテンツ出力手段と、
予め設定した日時に、前記コンテンツ出力手段で前記番組コンテンツを出力させるように、当該デジタル放送受信装置を起動させる起動制御手段と、
前記日時として設定された起動時間より、前記番組情報データを受信するために必要な所定時間分早く、前記受信手段による番組情報データの受信を開始させて、番組情報を取得する番組情報取得制御手段と、
を備えることを特徴とするデジタル放送受信装置。
【請求項２】
前記番組情報取得制御手段は、前記日時に対応する当日の番組情報を、他の番組情報より優先して取得することを特徴とする請求項１に記載のデジタル放送受信装置。
【請求項３】
前記番組情報取得制御手段は、予め設定されたチャンネルの番組情報を、他の番組情報より優先して取得することを特徴とする請求項１又は２に記載のデジタル放送受信装置。
【請求項４】
放送番組データ及び放送番組に関する番組情報データを受信する受信手段と、
前記受信手段が受信した前記放送番組データに基づく番組コンテンツを出力するコンテンツ出力手段と、
を備えるデジタル放送受信装置において、
予め設定した日時に、前記コンテンツ出力手段で前記番組コンテンツを出力させるように、当該デジタル放送受信装置を起動させる起動制御手段と、
前記日時として設定された起動時間より、前記番組情報データを受信するために必要な所定時間分早く、前記受信手段による番組情報データの受信を開始させて、番組情報を取得する番組情報取得制御手段と、
を備え、
前記番組情報取得制御手段は、前記日時に対応する当日の番組情報または予め設定されたチャンネルの番組情報を優先して取得することを特徴とするデジタル放送受信装置。
【発明の詳細な説明】
【技術分野】
【０００１】
本発明は、デジタル放送受信装置に関する。
【背景技術】
【０００２】
デジタル放送の分野では、放送番組データと共に、番組に関する番組情報データ（ＳＩ（Service Information：番組配列情報））を伝送している。番組情報データは、例えば番組のタイトルや、チャンネル、ジャンル、放送開始時刻・継続時間、出演者、番組内容等を含み、デジタル放送の受信側においてＥＰＧ（Electronic Program Guide:電子番組表）として表示され、番組の視聴予約や、録画予約等に利用されている。
【０００３】
その番組情報データを取得する際、ユーザの番組視聴を妨げないように、ユーザが視聴していない時間帯に番組情報データを受信して、データ解析を行うテレビジョン受信機が知られている（例えば、特許文献１参照。）。
例えば、ユーザが番組視聴していないスタンバイ中、所定時間毎に番組情報を取得して更新するために放送信号の受信が行われていた。
【先行技術文献】
【特許文献】
【０００４】
【特許文献１】特開２００４−１７２７８５号公報
【発明の概要】
【発明が解決しようとする課題】
【０００５】
しかしながら、上記特許文献１の場合、ユーザが長時間に亘る番組視聴を行うときや、一旦電源を切るものの直ぐに電源を再投入して番組視聴を継続するようなときには、放送番組データの受信のため、番組情報データの受信がなされないので、番組情報の更新ができない。
特に、地上デジタル放送の場合、各放送局毎に番組情報データが配信されるため、全局のデータ受信を行わなければならず、ＢＳデジタル放送のように各局で全局の番組情報が配信されることに比べて、全局の番組情報を取得するには時間を要する。
そのため、チューナを介して番組情報データが受信可能となる、番組視聴や番組録画が行われていない確実な時間が必要となる。
【０００６】
本発明の目的は、確実に番組情報を取得することができるデジタル放送受信装置を提供することである。
【課題を解決するための手段】
【０００７】
以上の課題を解決するため、請求項１に記載の発明は、
放送番組データ及び放送番組に関する番組情報データを受信する受信手段と、
前記受信手段が受信した前記放送番組データに基づく番組コンテンツを出力するコンテンツ出力手段と、
を備えるデジタル放送受信装置において、
予め設定した日時に、前記コンテンツ出力手段で前記番組コンテンツを出力させるように、当該デジタル放送受信装置を起動させる起動制御手段と、
前記日時として設定された起動時間より、前記番組情報データを受信するために必要な所定時間分早く、前記受信手段による番組情報データの受信を開始させて、番組情報を取得する番組情報取得制御手段と、
を備えることを特徴とする。
【０００８】
請求項２に記載の発明は、請求項１に記載のデジタル放送受信装置において、
前記番組情報取得制御手段は、前記日時に対応する当日の番組情報を、後日の番組情報より優先して取得することを特徴とする。
【０００９】
請求項３に記載の発明は、請求項１又は２に記載のデジタル放送受信装置において、
前記番組情報取得制御手段は、予め設定されたチャンネルの番組情報を、他のチャンネルの番組情報より優先して取得することを特徴とする。
【００１０】
請求項４に記載の発明は、
放送番組データ及び放送番組に関する番組情報データを受信する受信手段と、
前記受信手段が受信した前記放送番組データに基づく番組コンテンツを出力するコンテンツ出力手段と、
を備えるデジタル放送受信装置において、
予め設定した日時に、前記コンテンツ出力手段で前記番組コンテンツを出力させるように、当該デジタル放送受信装置を起動させる起動制御手段と、
前記日時として設定された起動時間より、前記番組情報データを受信するために必要な所定時間分早く、前記受信手段による番組情報データの受信を開始させて、番組情報を取得する番組情報取得制御手段と、
を備え、
前記番組情報取得制御手段は、前記日時に対応する当日の番組情報または予め設定されたチャンネルの番組情報を優先して取得することを特徴とする。
【発明の効果】
【００１１】
本発明によれば、デジタル放送受信装置において、おはようタイマーなど起動日時に関する設定がなされた場合に、日時として設定された起動時間より、番組情報データを受信するために必要な所定時間分早く、受信手段による番組情報データの受信を開始させて、デジタル放送受信装置の起動に先駆けて番組情報を取得することができるので、デジタル放送受信装置が起動した際には、確実に番組情報の取得を完了しており、起動直後から番組情報に基づく好適な番組視聴や速やかな録画予約などを行うことができる。
【図面の簡単な説明】
【００１２】
【図１】本実施形態におけるテレビジョン受像機の全体構成を示す説明図である。
【図２】本実施形態におけるテレビジョン受像機の要部構成を示すブロック図である。
【図３】本実施形態のテレビジョン受像機において行われる番組情報取得処理の一例を示すフローチャートである。
【発明を実施するための形態】
【００１３】
以下、本発明の実施の形態について図面を参照しながら説明する。なお、発明の範囲は図示例に限定されない。
本実施形態では、デジタル放送受信装置として、例えば、地上デジタル放送、ＢＳデジタル放送、ＣＳデジタル放送等の放送信号を受信するテレビジョン受像機を例に説明する。
【００１４】
図１は、本実施形態におけるテレビジョン受像機１００の全体構成を例示する説明図であり、図２は、本実施形態におけるテレビジョン受像機１００の本体部２の要部構成を示すブロック図である。
【００１５】
テレビジョン受像機１００は、図１に示すように、ユーザが各種指示を入力するためのリモコン装置１と、リモコン装置１により遠隔操作される本体部２と、を備えて構成されている。
また、テレビジョン受像機１００には、録画機器２００がケーブルを介して接続されている。録画機器２００は、例えば、ＤＶＤ（Digital Versatile Disc）レコーダ、ＨＤＤ（Hard Disk Drive）レコーダ、Ｄ−ＶＨＳ（Data Video Home System）ビデオデッキ等であり、テレビジョン受像機１００からケーブルを介して入力されるコンテンツデータを記録媒体に記録する。
【００１６】
なお、リモコン装置１には、ユーザが本体部２に対して各種指示を入力するための複数の釦を備える操作部が設けられており、例えば、ユーザが所望するチャンネルを選択するための釦、音量や画質を調整するための釦、ＥＰＧ（Electric Program Guide: 電子番組表）を表示するための釦、予約録画に関する設定を行うための釦、ＯＮ／ＯＦＦタイマーを設定するための釦などが備えられている。
このリモコン装置１に備わる各種釦の各々には識別情報が割り当てられており、所定の記憶領域に記憶されている。そして、リモコン装置１において、ユーザによって釦の押下操作が行われると、操作された釦の識別情報が読み出されて、その識別情報に対応するリモコン信号が生成される。生成されたリモコン信号は図示しない送信部から送信されて、本体部２の前面パネル等に設けられたリモコン信号受光部３（図２参照）において受信される。
【００１７】
本体部２は、図２に示すように、リモコン装置１からのリモコン信号を受信するリモコン信号受光部３、放送信号を受信するアンテナ４、アンテナ４により受信された放送信号から希望チャンネルの放送信号を選局する受信手段としてのチューナ５、チューナ５により選局された放送信号を復調する復調部６、復調部６により復調された放送信号を複数のデータに分離してデコードするデコーダ部７、デコーダ部７から入力される映像信号に対して所定の映像処理を行う映像処理部８、デコーダ部７から入力される音声信号に対して所定の音声処理を行う音声処理部９、映像処理部８により処理された映像信号にＯＳＤデータを付加するＯＳＤ回路１０、映像処理部８により処理された映像信号に基づく番組コンテンツを出力するコンテンツ出力手段としての表示部１１、音声処理部９により処理された音声信号に基づく番組コンテンツを出力するコンテンツ出力手段としての音声出力部１２、テレビジョン受像機１００全体を統括制御する制御部１３等を備えており、各部は制御バスにより接続されている。
【００１８】
リモコン信号受光部３は、図示は省略するが、例えば、フォトダイオード、ＳＵＢＣＰＵ、増幅部、復調部、デコーダ等を備えて構成されている。
このリモコン信号受光部３は、例えば、リモコン装置１から送信されたリモコン信号を本体部２の前面パネル等に設けられたフォトダイオードにおいて受信すると、ＳＵＢＣＰＵの制御により増幅部で増幅した後、復調部において復調し、さらに、デコーダにより波形整形、誤り訂正等の各種処理を行うことで、入力されたリモコン信号から識別情報を取得し、制御部１３に対して識別情報を出力する。なお、制御部１３は、リモコン信号受光部３から入力されるリモコン信号の識別情報に基づいて、リモコン装置１において操作された釦の判別を行い、操作に対応する制御を実行する。
【００１９】
アンテナ４は、例えば、地上デジタルアンテナ、ＢＳ・ＣＳパラボラアンテナ等であって、屋外において所定の方向に向けて配置され、高周波の放送信号を受信する。
【００２０】
チューナ５は、例えば、地上デジタル放送、ＢＳデジタル放送、ＣＳデジタル放送等の各放送種別に対応するチューナを備え、放送番組データや番組情報データなどが含まれる放送信号の入力を受け付ける。
例えば、地上デジタルチューナは、地上デジタルアンテナにより入力された高周波の放送信号の中から、ＢＰＦ（バンドパスフィルタ）により特定周波数帯の信号を抽出して増幅し、局部発振器及びミキサにより周波数変換する。更に、ＢＰＦにより特定周波数帯の信号を抽出して、低周波信号に変換した後にＬＰＦ（ローパスフィルタ）を介してＡＤ変換等を行い、復調部６に出力する。
また、例えば、ＢＳ・ＣＳチューナは、ＢＳ・ＣＳアンテナにより入力され、ＩＦ信号（中間周波信号）に変換された放送信号を増幅した後に、局部発振器及び２つのミキサにより所定の信号を生成する。そして、ＬＰＦを介して特定周波数帯の信号を取得した後、ＡＤ変換等を行って復調部６に出力する。
【００２１】
復調部６は、例えば、地上デジタル放送、ＢＳデジタル放送、ＣＳデジタル放送等に対応する復調部を備え、制御部１３からの制御に基づいて、チューナ５において選局されたチャンネルの信号に対してデジタル復調や誤り訂正などの処理を実行し、ＴＳ（Transport Stream）を生成して、分離部７１に出力する。
【００２２】
デコーダ部７は、例えば、分離部（Demultiplexer）７１、ビデオデコーダ７２、オーディオデコーダ７３、データデコーダ７４等を備えて構成されている。
分離部７１は、復調部６から入力されるＴＳをビデオデータ、オーディオデータ、ＰＳＩ（Program Specific Information:番組特定情報）、番組情報データとしてのＳＩ（Service Information:番組配列情報）等の複数のストリームに分離する。
【００２３】
ここで、ＰＳＩは、ＴＳに含まれるサービス（編成チャンネル）とそのＰＭＴのＰＩＤ（Packet Identifier）に関する情報を記述するＰＡＴ（Program Association Table）、各サービスを構成するデータとそのＰＩＤに関する情報を記述するＰＭＴ（Program Map Table）、放送中のサービスに関する情報を記述するＮＩＴ（Network Information Table）、限定受信に関する情報を記述するＣＡＴ（Conditional Access Table）のテーブルである。ＰＳＩは、各パケットのＰＩＤに基づいて、ＴＳから、選局された番組の提供に必要なパケットを選択する際等に用いられる。
【００２４】
ＳＩは、サービスに関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）等の各種テーブルである。ＥＩＴのＥＩＴ scheduledには、現在放送中の番組及び８日以内に放送予定の番組に関する情報（例えば、タイトル、チャンネル、放送局、ジャンル、放送時刻としての放送開始時刻・継続時間、出演者、番組内容等）が記述される。また、ＥＩＴには、連続番組に関する情報を記述するシリーズ識別子が含まれている。このＳＩは、番組情報として、表示部１１に電子番組表を表示する際に用いられる。
なお、制御部１３は、ＰＳＩと各ＴＳパケットが有するＰＩＤに基づいて、必要なＴＳパケットを取得して、ＭＰＥＧ２（Moving Picture Experts Group 2）規格下のビデオストリームをビデオデコーダ７２に、オーディオストリームをオーディオデコーダ７３に、さらに、ＳＩから抽出した必要な番組情報をデータデコーダ７４に出力する。
【００２５】
ビデオデコーダ７２は、分離部７１から入力されたビデオストリームをデコードする。具体的には、ビデオデコーダ７２は、ビデオストリームに、可変長復号化、逆量子化、逆ＤＣＴ、動き補正等の各種処理を行うことで、ビデオストリームをＤＴＳ（Decoding Time Stamp）に応じたタイミングでデコードし、放送番組データにおける映像データを映像処理部８に出力する。
オーディオデコーダ７３は、分離部７１から入力されたオーディオストリームをデコードし、放送番組データにおける音声データを音声処理部９に出力する。
データデコーダ７４は、分離部７１から入力された番組情報データ、字幕データ、データ放送用データ等をデコードし、各データを制御部１３、ＯＳＤ回路１０等に出力する。制御部１３に入力された番組情報データは、後述するＥＰＧメモリ１３４ｂに格納されることとなる。
【００２６】
映像処理部８は、入力される映像データに対して各種映像処理を施し、映像信号を生成する。生成された映像信号は、フレームメモリ（図示省略）に一旦格納された後に、ＰＴＳ（Presentation Time Stamp）に応じた再生タイミングで、表示部１１に出力される。
音声処理部９は、入力される音声データに対して各種音声処理を施して、音声信号を生成し、生成された音声信号をＰＴＳに応じた再生タイミングで、音声出力部１２に出力する。
【００２７】
ＯＳＤ回路１０は、電子番組表の表示に際して、ＥＰＧメモリ１３４ｂに格納された番組情報から必要なデータを読み出し、読み出したデータに基づいて電子番組表表示用データを生成する。そして、生成された電子番組表表示用データを、映像処理部８から出力される映像信号に合成させ、表示部１１において電子番組表等のＯＳＤ画面を表示させる。
【００２８】
表示部１１は、例えば、ＬＣＤ（Liquid Crystal Display）、ＰＤＰ（Plasma Display Panel）、有機ＥＬ（Electro Luminescence）ディスプレイ等の図示しないディスプレイを備え、映像処理部８から入力された映像信号に基づく番組コンテンツである映像コンテンツをディスプレイに表示させる。また、表示部１１は、後述するＥＰＧメモリ１３４ｂに記憶された番組情報データに基づく電子番組表をディスプレイに表示させる。
音声出力部１２は、例えば、図示しないスピーカ等を備え、音声処理部９から入力された音声信号に基づく番組コンテンツである音声コンテンツをスピーカから出力させる。
【００２９】
制御部１３は、ＣＰＵ（Central Processing Unit）１３１、ＳＴＣ（System Time Clock）等の計時部１３２、ＲＡＭ（Random Access Memory）１３３等の揮発性メモリ、ＥＥＰＲＯＭ（Electrically Erasable Programmable ROM）１３４、ＲＯＭ（Read Only Memory）１３５等の不揮発性メモリ等を備えて構成されている。
【００３０】
ＣＰＵ１３１は、本体部２の各部から入力された入力信号や、リモコン装置１における各釦の押下操作によって入力されたリモコン信号等に応じて、ＲＯＭ１３５に格納された各種プログラムを実行するとともに、その実行にかかるプログラムに基づいて本体部２の各部に出力信号を出力することによって、テレビジョン受像機１００の動作全般を統括制御する。
【００３１】
計時部１３２は、時刻や日付を計時して日時データを作成する。なお、計時された日時データ等は、ＣＰＵ１３１を介してＲＡＭ１３３に送られて順次更新される。
【００３２】
ＲＡＭ１３３は、ＣＰＵ１３１のワークエリアとして用いられ、ＣＰＵ１３１によって各種プログラムが実行される際に生じる処理結果や、入力されたデータ等を一時的に記憶する。
【００３３】
ＥＥＰＲＯＭ１３４は、例えば、設定メモリ１３４ａ、ＥＰＧメモリ１３４ｂ等を備える。
設定メモリ１３４ａは、例えば、後述する起動日時設定プログラム１３５ｃの実行において設定された、例えば、おはようタイマーなどに関し、テレビジョン受像機１００（本体部２）が、表示部１１や音声出力部１２から番組コンテンツを出力するために起動すべきタイミングの起動日時データや、起動時に選局される放送局のチャンネルデータ等を記憶する。
また、設定メモリ１３４ａには、番組情報データを受信するために必要な時間に関するデータ、例えば、全局８日分の番組情報データを受信するための所要時間データ、全局当日１日分の番組情報データを受信するための所要時間データ、各局８日分の番組情報データを受信するための所要時間データ等が記憶されている。
ＥＰＧメモリ１３４ｂは、受信された放送信号から抽出された番組情報データを記憶する。
【００３４】
ＲＯＭ１３５は、不揮発性メモリから成るプログラム格納エリアを有しており、具体的には、受信プログラム１３５ａ、コンテンツ出力プログラム１３５ｂ、起動日時設定プログラム１３５ｃ、起動制御プログラム１３５ｄ、番組情報取得制御プログラム１３５ｅ等を格納している。
【００３５】
受信プログラム１３５ａは、例えば、ＣＰＵ１３１に、番組コンテンツ及び番組情報が多重化された放送信号を受信する機能を実現させるためのプログラムである。
具体的には、ＣＰＵ１３１は、リモコン信号受光部３を介して入力されるリモコン信号に基づいて、リモコン装置１におけるユーザの指示操作を監視している。そして、リモコン装置１においてチャンネル選局操作が行われると、ＣＰＵ１３１は、チューナ５に指示信号を出力して、アンテナ４に入力される放送信号から、選局されたチャンネルに対応付けられている周波数帯の放送信号を受信させる。
ＣＰＵ１３１は、かかる受信プログラム１３５ａを実行することにより、チューナ５とともに受信手段として機能し、放送番組データや番組情報データを含む放送信号を受信する。
【００３６】
コンテンツ出力プログラム１３５ｂは、例えば、チューナ５を介して受信した放送信号における放送番組データに基づく番組コンテンツの映像コンテンツを表示部１１（ディスプレイ）に表示させ、また、放送番組データに基づく番組コンテンツの音声コンテンツを音声出力部１２（スピーカ）から出力させる機能を実現させるためのプログラムである。
ＣＰＵ１３１は、かかるコンテンツ出力プログラム１３５ｂを実行することにより、表示部１１と音声出力部１２とともにコンテンツ出力手段として機能する。
【００３７】
起動日時設定プログラム１３５ｃは、例えば、ユーザが所望するタイミングに、テレビジョン受像機１００（本体部２）を起動させるための日時に関する起動日時データと、起動時に選局するチャンネルデータとをＥＥＰＲＯＭ１３４に記憶させる機能を実現させるためのプログラムである。
具体的には、リモコン装置１の操作部を介して入力された起動日時データとチャンネルデータが、本体部２のリモコン信号受光部３を通じて制御部１３（ＣＰＵ１３１）に入力されることによって、起動日時データとチャンネルデータとがＥＥＰＲＯＭ１３４の設定メモリ１３４ａに記憶される。
ＣＰＵ１３１は、かかる起動日時設定プログラム１３５ｃを実行することにより、ＥＥＰＲＯＭ１３４とともに起動日時設定手段として機能する。
【００３８】
起動制御プログラム１３５ｄは、例えば、ＥＥＰＲＯＭ１３４に記憶された起動日時データに基づく予め設定した日時に、表示部１１や音声出力部１２においてチャンネルデータに応じた番組コンテンツ（映像コンテンツ、音声コンテンツ）を出力させるように、テレビジョン受像機１００（本体部２）を起動させる機能を実現させるためのプログラムである。
ＣＰＵ１３１は、かかる起動制御プログラム１３５ｄを実行することにより、ユーザが所望する日時にテレビジョン受像機１００（本体部２）をオフからオンに切り替えて起動させる起動制御手段として機能する。なお、起動制御手段としてのＣＰＵ１３１は、テレビジョン受像機１００（本体部２）のスタンバイ中に、ＥＥＰＲＯＭ１３４に起動日時データが格納されているか否かの判断を行う機能も有する。
【００３９】
番組情報取得制御プログラム１３５ｅは、ＥＥＰＲＯＭ１３４に記憶されて設定された起動日時データに応じた起動時間より、番組情報データを受信するために必要な所定時間分早く、チューナ５等による番組情報データを含む放送信号の受信を開始させて、番組情報を取得する機能を実現させるためのプログラムである。
具体的には、ＣＰＵ１３１は、設定された起動時間にテレビジョン受像機１００（本体部２）が起動するまでに、番組情報の取得を完了させるように、その起動時間よりも番組情報の受信に要する所要時間分（例えば、設定メモリ１３４ａに記憶された、全局８日分の番組情報データを受信するための所要時間データに応じた時間分、例えば２０分）早く、チューナ５を介した番組情報データを含む放送信号の受信を開始させる。
ＣＰＵ１３１は、かかる番組情報取得制御プログラム１３５ｅを実行することにより、テレビジョン受像機１００（本体部２）の起動に先駆けて、所定時間分早く番組情報データを含む放送信号の受信を開始させ、テレビジョン受像機１００（本体部２）が起動するまでに、番組情報を取得する番組情報取得制御手段として機能する。なお、番組情報取得制御手段としてのＣＰＵ１３１は、起動日時データに応じた起動時間と所要時間データに応じた所要時間とに基づき、番組情報データを含む放送信号の受信を開始する、番組情報取得開始時間を算出する機能も有する。
【００４０】
特に、番組情報取得制御手段としてのＣＰＵ１３１は、設定された日時に対応する当日の番組情報を、他の番組情報（後日の番組情報）より優先して取得し、その後、全局８日分の番組情報を取得するように、番組情報データを含む放送信号の受信を行う制御を実行する。この制御によれば、タイマー起動する直前に、その起動を待ち切れなかったユーザが手動でテレビジョン受像機１００（本体部２）の電源を投入してしまったような場合に、少なくともその当日分の番組情報の取得が完了している可能性を高くすることができ、当面の番組視聴が可能になる。
また、番組情報取得制御手段としてのＣＰＵ１３１は、予め設定されたチャンネルの番組情報を、他のチャンネルの番組情報より優先して取得し、その後、全局８日分の番組情報を取得するように、番組情報データを含む放送信号の受信を行う制御を実行する。この制御によれば、タイマー起動する直前に、その起動を待ち切れなかったユーザが手動でテレビジョン受像機１００（本体部２）の電源を投入してしまったような場合に、少なくとも所望するチャンネルの番組情報の取得が完了している可能性を高くすることができ、当面の番組視聴が可能になる。
なお、当日の番組情報を優先して取得することや、予め設定されたチャンネルの番組情報を優先して取得することについては、ユーザが所望する場合にその設定がなされて、優先取得条件設定データとして設定メモリ１３４ａなどに記憶されていればよい。
【００４１】
また、番組情報取得制御手段としてのＣＰＵ１３１は、通常、ユーザが番組視聴をしていない時間帯に、チューナ５を介した番組情報データを含む放送信号の受信を行い、番組情報の取得や更新を行うようになっている。つまり、当日の番組情報や、予め設定されたチャンネルの番組情報を優先して取得しているが、全番組情報の取得が未完である場合、ユーザが番組視聴をしていない時間帯に、所定順（例えば、放送局順、日時順など）に順次番組情報の取得を行い、全局８日分の番組情報の取得が行われるようになっている。
【００４２】
次に、図３のフローチャートを参照しながら、本実施形態のテレビジョン受像機１００において行われる番組情報取得処理の流れについて説明する。
【００４３】
テレビジョン受像機１００（本体部２）のスタンバイ中において、ＣＰＵ１３１は、おはようタイマーなど起動日時に関する設定がなされて、ＥＥＰＲＯＭ１３４に、テレビジョン受像機１００を起動すべき起動日時データが格納されているか否かを判断する（ステップＳ１０１）。
なお、ＣＰＵ１３１は、テレビジョン受像機１００（本体部２）がスタンバイ状態に切り替えられた際に、起動日時データの有無を判断してもよく、また、起動日時データの入力（タイマー設定）が行われた際に、起動日時データが格納されているのと判断を行うようにしてもよい。
【００４４】
ＣＰＵ１３１が、起動日時データが格納されていると判断すると（ステップＳ１０１；Ｙｅｓ）、ＣＰＵ１３１は、番組情報取得開始時間を算出する（ステップＳ１０２）。
例えば、タイマー設定された起動日時データによる起動時刻が「ＡＭ  ６：３０」であり、全局８日分の番組情報データを受信するために必要な所要時間が「２０分」である場合、番組情報取得開始時間は「ＡＭ  ６：１０」と算出される。算出された番組情報取得開始時間データは、設定メモリ１３４ａに格納される。
なお、番組情報取得開始時間は、起動時刻「ＡＭ  ６：３０」より番組情報データの受信に必要な所要時間分早いことに限らず、所要時間（２０分）と予備時間（１０分）を合算した所定時間分（３０分）早いようにしてもよい（この場合、番組情報取得開始時間は「ＡＭ  ６：００」と算出される。）。
【００４５】
次いで、ＣＰＵ１３１は、番組情報取得開始時間になったか否かを判断する（ステップＳ１０３）。
ＣＰＵ１３１が、番組情報取得開始時間になったと判断すると（ステップＳ１０３；Ｙｅｓ）、ＣＰＵ１３１は、チューナ５を介した放送信号の受信を行わせ、放送信号中の番組情報データをデコードし、その番組情報データをＥＰＧメモリ１３４ｂに記憶させて取得する（ステップＳ１０４）。そして、起動時刻になるまで、番組情報データの取得を継続する。
【００４６】
次いで、ＣＰＵ１３１は、起動時刻になったか否かを判断する（ステップＳ１０５）。
ＣＰＵ１３１が、起動時刻になったと判断すると（ステップＳ１０５；Ｙｅｓ）、ＣＰＵ１３１は、テレビジョン受像機１００（本体部２）を起動させ、チューナ５を介して受信する放送信号中の放送番組データに基づく番組コンテンツ（映像コンテンツ、音声コンテンツ）を、表示部１１や音声出力部１２から出力する（ステップＳ１０６）。
【００４７】
こうして起動されたテレビジョン受像機１００（本体部２）は、ユーザがリモコン装置１を使用した操作などに応じて、ユーザが所望するようにチャンネルや音量などが切り替えられて、放送番組の視聴が可能になる。
特に、テレビジョン受像機１００（本体部２）が起動した際には、確実に全番組情報データを取得し、全局８日分の番組情報データがＥＰＧメモリ１３４ｂに記憶されているので、好適な番組視聴や、速やかな録画予約などを行うことが可能になる。
なお、番組情報取得開始時間を、起動時刻よりも番組情報データの受信に要する所要時間と予備時間を合算した所定時間分早くした場合、予備時間分の余裕が生じるので、番組変更などに伴い番組情報データを受信するために要する時間が延びてしまう誤差が生じるような場合や、計時部１３２に何らかの誤差が生じてしまったような場合でも、より確実に全ての番組情報を取得することが可能になる。
【００４８】
このように、本発明に係るテレビジョン受像機１００は、おはようタイマーなど、起動日時に関する設定がなされた場合に、起動日時における起動時刻よりも所定時間分早く、番組情報データが含まれる放送信号の受信を開始することによって、そのテレビジョン受像機１００が起動するまでに全ての番組情報を確実に取得することができるので、テレビジョン受像機１００が起動した際には、全局８日分の番組情報データがＥＰＧメモリ１３４ｂに記憶されており、起動直後から好適な番組視聴や速やかな録画予約などを行うことができる。
【００４９】
特に、テレビジョン受像機１００が起動される直前のタイミングに、最新の番組情報を取得することができるので、スタンバイ中における不要な放送信号の受信処理を省くことができる。
つまり、おはようタイマーなどによって、テレビジョン受像機１００を起動させる時刻をユーザが設定している場合、起動時刻になるまでユーザは番組視聴を行わないので、テレビジョン受像機１００の起動時に番組情報を取得していればよく、スタンバイ中のテレビジョン受像機１００において、番組情報を取得するために放送信号の受信を繰り返し行う必要性は少ない（従来、深夜帯などのスタンバイ中の２〜３時間おきに、番組情報取得のために放送信号の受信が行われていた。）。更に、そのおはようタイマー設定中は、ユーザが番組視聴を行わない時間帯であるので、番組情報データが含まれる放送信号の受信を確実に行うことができる。
そして、タイマー起動される直前に、最新の番組情報を取得することができるテレビジョン受像機１００であれば、スタンバイ中における不要な放送信号の受信処理を省くことができるので、その不要な放送信号の受信処理に要する電力の消費を低減することができるメリットがある。
【００５０】
なお、本発明の範囲は、上記実施形態に限られることなく、本発明の趣旨を逸脱しない範囲において、種々の改良並びに設計の変更を行ってもよい。
例えば、本実施形態では、デジタル放送受信装置として、テレビジョン受像機１００を例に上げて説明したが、例えば、ＳＴＢ(Set Top Box)等であってもよい。
また、本実施形態のテレビジョン受像機１００では、本体部２に接続された記録装置において番組コンテンツを記録可能な構成について説明したが、例えば、テレビジョン受像機１００に内蔵されたＨＤＤ等の記録媒体に番組コンテンツを記録可能であってもよい。また、番組コンテンツの記録を行わない構成であってもよい。
【符号の説明】
【００５１】
１      リモコン装置
２      本体部
４      アンテナ
５      チューナ（受信手段）
１１    表示部（コンテンツ出力手段）
１２    音声出力部（コンテンツ出力手段）
１３    制御部
１３１  ＣＰＵ（受信手段、コンテンツ出力手段、起動制御手段、番組情報取得制御手段）
１３４  ＥＥＰＲＯＭ
１３４ａ  設定メモリ
１３４ｂ  ＥＰＧメモリ
１３５  ＲＯＭ
１３５ａ  受信プログラム
１３５ｂ  コンテンツ出力プログラム
１３５ｃ  起動日時設定プログラム
１３５ｄ  起動制御プログラム
１３５ｅ  番組情報取得制御プログラム
１００  テレビジョン受像機（デジタル放送受信装置）
【図１】
2010177846.tif 000003
【図２】
2010177846.tif 000004
【図３】
2010177846.tif 000005